(57)【要約】【課題】同種の単語構成部分を含む単語を効率良く学習する。【解決手段】電子辞書１は、各単語を接辞及び語幹に分解して得られる複数の単語構成部分のうち、互いに類似する複数の単語構成部分を同種の単語構成部分として扱い、単語構成部分の種類ごとに、マーカ単語帳テーブル８４により記憶された各単語を分類するＣＰＵ２０とを備える。ＣＰＵ２０は、マーカ単語帳テーブル８４に記憶された単語を、当該ＣＰＵ２０による分類に従って表示する制御を行う。【選択図】図５
2014186065.tif 000002
【特許請求の範囲】
【請求項１】
各単語を接辞及び接辞以外の部分に分解して得られる複数の単語構成部分のうち、互いに類似する複数の単語構成部分を同種の単語構成部分として扱い、単語構成部分の種類ごとに、単語記憶手段により記憶された各単語を分類する単語分類手段と、
前記単語記憶手段により記憶された単語を、前記単語分類手段による分類に従って表示する制御を行う単語分類表示制御手段と、
を備えることを特徴とする単語表示制御装置。
【請求項２】
請求項１記載の単語表示制御装置において、
単語と、当該単語に含まれる各単語構成部分と、当該各単語構成部分の意味を示した語源とが対応付けられて複数記憶されている単語語源記憶手段を備え、
前記単語分類手段は、
単語構成部分の種類と、当該単語構成部分の語源との組合せごとに、前記単語記憶手段により記憶された各単語を分類する語源別単語分類手段を有することを特徴とする単語表示制御装置。
【請求項３】
請求項２記載の単語表示制御装置において、
前記単語分類表示制御手段により表示される何れかの単語に対し、当該単語に含まれる単語構成部分の語源を対応付けて表示する制御を行う語源表示制御手段を備えることを特徴とする単語表示制御装置。
【請求項４】
請求項１〜３の何れか一項に記載の単語表示制御装置において、
前記単語分類表示制御手段は、
前記単語記憶手段に記憶された単語を一覧表示するとともに、各単語に含まれる各単語構成部分を、単語構成部分の種類ごとに識別表示する制御を行う単語構成部分識別表示制御手段を有することを特徴とする単語表示制御装置。
【請求項５】
請求項１〜４の何れか一項に記載の単語表示制御装置において、
前記単語分類手段は、
綴りが類似の単語構成部分を、同種の単語構成部分として扱い、単語構成部分の種類ごとに、前記単語記憶手段により記憶された各単語を分類する綴り単語分類手段と、
ユーザ操作に基づいて、前記綴り単語分類手段により分類された各単語を更に分類する種別設定単語分類手段と、
を有することを特徴とする単語表示制御装置。
【請求項６】
請求項５記載の単語表示制御装置において、
前記単語分類表示制御手段は、
前記種別設定単語分類手段により分類された単語を表示する制御を行う場合に、これらの単語の単語構成部分同士を対比できるよう表示する制御を行う単語対比表示制御手段を有することを特徴とする単語表示制御装置。
【請求項７】
請求項１〜６の何れか一項に記載の単語表示制御装置において、
前記単語記憶手段は、
ユーザ操作により指定される単語を記憶することを特徴とする単語表示制御装置。
【請求項８】
コンピュータにおける単語表示制御方法であって、
各単語を接辞及び接辞以外の部分に分解して得られる複数の単語構成部分のうち、互いに類似する複数の単語構成部分を同種の単語構成部分として扱い、単語構成部分の種類ごとに、単語記憶手段により記憶された各単語を分類する単語分類ステップと、
前記単語記憶手段により記憶された単語を、前記単語分類ステップによる分類に従って表示する制御を行う単語分類表示制御ステップと、
を含むことを特徴とする単語表示制御方法。
【請求項９】
コンピュータに、
各単語を接辞及び接辞以外の部分に分解して得られる複数の単語構成部分のうち、互いに類似する複数の単語構成部分を同種の単語構成部分として扱い、単語構成部分の種類ごとに、単語記憶手段により記憶された各単語を分類する単語分類機能と、
前記単語記憶手段により記憶された単語を、前記単語分類機能による分類に従って表示する制御を行う単語分類表示制御機能と、
を実現させることを特徴とする単語表示制御プログラム。
【発明の詳細な説明】
【技術分野】
【０００１】
本発明は、単語表示制御装置、単語表示制御方法及び単語表示制御プログラムに関する。
【背景技術】
【０００２】
従来、単語を学習する方法として、単語を接辞及び語幹の各単語構成部分に分解し、各単語構成部分の語源に基づいて学習する方法がある。この方法により単語を学習する場合には、辞書に掲載された語源（単語の各単語構成部分の意味を示した語源）から効果的に単語を理解して学習することができる。また、近年の情報表示装置では、或る見出し語の説明情報を表示する場合に、当該見出し語と同じ語源の単語構成部分を含む単語（或る見出し語と語源の共通する単語）を、この見出し語に対応付けて表示するようになっている（例えば、特許文献１参照。）。
【０００３】
ところで、単語の学習方法としては、同意語、反意語、派生語などを纏めて学習する方法もある。同意語、反意語、派生語などを纏めて記載した単語帳が市販されており、この単語帳を当該方法による学習のツールとして用いることができる。
【先行技術文献】
【特許文献】
【０００４】
【特許文献１】特開平８−０４４２８１号公報
【発明の概要】
【発明が解決しようとする課題】
【０００５】
しかしながら、従来の情報表示装置では、見出し語の単語構成部分それぞれに対応付けて、同種の単語構成部分を含む単語を表示することができない。また、このような単語を複数纏める技術も存在しない。従って、同種の単語構成部分を含む関連単語を効率良く学習することができない。
【０００６】
本発明の課題は、同種の単語構成部分を含む単語を効率良く学習することができる単語表示制御装置、単語表示制御方法及び単語表示制御プログラムを提供することである。
【課題を解決するための手段】
【０００７】
請求項１記載の発明は、単語表示制御装置において、
各単語を接辞及び接辞以外の部分に分解して得られる複数の単語構成部分のうち、互いに類似する複数の単語構成部分を同種の単語構成部分として扱い、単語構成部分の種類ごとに、単語記憶手段により記憶された各単語を分類する単語分類手段と、
前記単語記憶手段に記憶された単語を、前記単語分類手段による分類に従って表示する制御を行う単語分類表示制御手段と、
を備えることを特徴とする。
【発明の効果】
【０００８】
本発明によれば、同種の単語構成部分を含む単語を効率良く学習することが可能となる。
【図面の簡単な説明】
【０００９】
【図１】（ａ）は電子辞書の概略構成を示す平面図であり、（ｂ）はタブレットパソコンを示す平面図である。
【図２】電子辞書の機能構成を示すブロック図である。
【図３】（ａ）は語源付き辞書データベースを示す図であり、（ｂ）は語源意味データベースを示す図であり、（ｃ）は英和辞書データベースを示す図である。
【図４】単語表示処理の流れを示すフローチャートである。
【図５】ディスプレイの表示内容を示す図である。
【図６】単語表示処理の流れを示すフローチャートである。
【図７】ディスプレイの表示内容を示す図である。
【図８】ディスプレイの表示内容を示す図である。
【発明を実施するための形態】
【００１０】
以下、添付図面を参照して、本発明に係る単語表示制御装置を電子辞書に適用した場合の実施形態の一例を詳細に説明する。ただし、発明の範囲は、図示例に限定されない。
【００１１】
［１  第１実施形態］
［１．１  外観構成］
図１（ａ）は、電子辞書１の平面図である。
この図に示すように、電子辞書１は、メインディスプレイ１０、サブディスプレイ１１、カードスロット１２、及びキー群２を備えている。
【００１２】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１３】
カードスロット１２は、種々の情報を記憶した外部情報記憶媒体１２ａ（図２参照）を着脱可能に設けられている。
【００１４】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇ等とを有している。
【００１５】
訳／決定キー２ｂは、各種処理の実行、見出し語の決定等に使用されるキーである。文字キー２ｃは、ユーザによる文字の入力等に使用されるキーであり、本実施の形態においては、“Ａ”〜“Ｚ”キーを備えている。辞書選択キー２ｄは、後述の辞書データベース８２０，…（図２参照）の選択に使用されるキーである。
【００１６】
カーソルキー２ｅは、画面内の反転表示位置、つまりカーソル位置の移動等に使用されるキーであり、本実施の形態においては上下左右の方向を指定可能となっている。戻るキー２ｇは、前回表示した画面に戻るとき等に使用されるキーである。
【００１７】
［１．２  内部構成］
続いて、電子辞書１の内部構成について説明する。図２は、電子辞書１の内部構成を示すブロック図である。
【００１８】
この図に示すように、電子辞書１は、表示部４０、入力部３０、記録媒体読取部６０、ＣＰＵ（Central Processing Unit）２０、記憶部８０を備え、各部はバスで相互にデータ通信可能に接続されて構成されている。
【００１９】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２０】
入力部３０は、上述のキー群２やタッチパネル１１０を備えており、押下されたキーやタッチパネル１１０の位置に対応する信号をＣＰＵ２０に出力するようになっている。
【００２１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２２】
ここで、外部情報記憶媒体１２ａには、辞書データベース８２０等が格納されるようになっている。なお、この辞書データベース８２０は後述の記憶部８０における辞書データベース８２０と同様のデータ構造を有しているため、ここでは説明を省略する。
【００２３】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に保存するとともに、当該処理結果を表示部４０に適宜出力させる。
【００２４】
記憶部８０は、電子辞書１の各種機能を実現するためのプログラムやデータを記憶するとともに、ＣＰＵ２０の作業領域として機能するメモリである。本実施の形態においては、記憶部８０は、本発明に係る単語表示制御プログラム８１と、辞書データベース群８２と、マーカ単語帳テーブル８４と、語源意味データベース８５等とを記憶している。また、この記憶部８０には、語源分類単語記憶領域８６が形成されるようになっている。
【００２５】
単語表示制御プログラム８１は、後述の単語表示処理（図４参照）をＣＰＵ２０に実行させるためのプログラムである。
【００２６】
辞書データベース群８２は、複数の辞書データベース８２０を有している。これら複数の辞書データベース８２０，…は、見出し語と、この見出し語の説明情報（意味内容や語源など）とを対応付けて複数記憶している。なお、本実施の形態においては、このような辞書データベース８２０には、語源付き辞書データベース８２１や英和辞書データベース８２２が含まれている。
【００２７】
このうち、特に語源付き辞書データベース８２１は、図３（ａ）に示すように、見出し語としての単語と、当該単語の説明情報としての訳と、当該単語を接辞及び語幹に分解して得られる複数の単語構成部分と、これら複数の単語構成部分それぞれの意味を示した語源とを対応付けて複数記憶している。なお、本実施の形態における語源付き辞書データベース８２１には、英和辞書データベース８２２に記憶されている全ての単語が記憶されている。
【００２８】
マーカ単語帳テーブル８４は、ユーザにより指定される単語を蓄積して記憶（登録）するとともに、各単語に対応付けて、その単語の説明情報中、ユーザ操作に基づきマーカ表示文字列として指定された文字列の位置情報を記憶するようになっている。また、このマーカ単語帳テーブル８４には、各登録単語に対し、後述の単語表示処理（図４参照）において行われるテストに関する情報（以下、テスト情報８４０とする）が対応付けて記憶されている。ここで、テスト情報８４０には、登録単語に関してテストが行われたか否かについての情報が含まれ、登録単語に関してテストが行われている場合には、ユーザが正解したか否かについての情報が更に含まれる。なお、本実施の形態においては、英和辞書データベース８２２及び語源付き辞書データベース８２１に記憶された単語がマーカ単語帳テーブル８４に記憶されることとして説明する。
【００２９】
語源意味データベース８５は、図３（ｂ）に示すように、単語構成部分の種類ごとに、その語源（意味）を記憶している。より詳細には、本実施の形態における語源意味データベース８５では、形態の類似する単語構成部分を同種の単語構成部分としている。
【００３０】
語源分類単語記憶領域８６には、後述の単語表示処理（図４参照）において単語が語源に従って分類された場合に、その分類結果が語源分類単語データ８６０として記憶されるようになっている。
【００３１】
［１．３  動作］
続いて、電子辞書１の動作について、図面を参照しつつ説明する。
【００３２】
図４は、ＣＰＵ２０が単語表示制御プログラム８１を読み出して実行する単語表示処理の流れを示すフローチャートである。
【００３３】
この図に示すように、単語表示処理においてまずＣＰＵ２０は、ユーザ操作により英和辞書データベース８２２が選択されたか否かを判定し（ステップＳ１）、英和辞書データベース８２２が選択されたと判定した場合（ステップＳ１；Ｙｅｓ）には、ユーザ操作に応じて英和辞書データベース８２２における何れかの見出し語を指定見出し語として指定する（ステップＳ２）。なお、このステップＳ２においてユーザは所望の見出し語の文字列を末尾まで入力することで指定見出し語を指定することとしても良いし、見出し語の文字列を先頭から１文字ずつ入力しつつ、入力済みの文字列に前方一致する見出し語を一覧表示させ、この見出し語の一覧から所望の見出し語を指定することとしても良いし、英和辞書データベース８２２における見出し語の検索履歴を表示させて、この履歴内から見出し語を指定することとしても良い。これらのような見出し語の指定方法としては、従来より公知の技術を用いることができる。
【００３４】
次に、ＣＰＵ２０は、指定見出し語の説明情報を英和辞書データベース８２２から読み出してメインディスプレイ１０に表示させる（ステップＳ３）。
【００３５】
次に、ＣＰＵ２０は、マーカ単語帳テーブル８４に指定見出し語を記憶（登録）させる旨のユーザ操作が行われるか否かを判定し（ステップＳ４）、行われないと判定した場合（ステップＳ４；Ｎｏ）には、他の処理に移行する。
【００３６】
また、ステップＳ４においてマーカ単語帳テーブル８４に指定見出し語を記憶させる旨のユーザ操作が行われたと判定した場合（ステップＳ４；Ｙｅｓ）には、ＣＰＵ２０は、マーカ単語帳テーブル８４に指定見出し語を蓄積記憶させるとともに、この見出し語の説明情報中、ユーザ操作に基づきマーカ表示文字列として指定された文字列の位置情報を記憶させ（ステップＳ５）、上述のステップＳ２に移行する。
【００３７】
また、上述のステップＳ１においてユーザ操作により英和辞書データベース８２２が選択されていないと判定した場合（ステップＳ１；Ｎｏ）には、ＣＰＵ２０は、ユーザ操作によりマーカ単語帳テーブル８４が選択されたか否かを判定し（ステップＳ６）、選択されていないと判定した場合（ステップＳ６；Ｎｏ）には、他の処理に移行する。
【００３８】
また、ステップＳ６においてユーザ操作によりマーカ単語帳テーブル８４が選択されたと判定した場合（ステップＳ６；Ｙｅｓ）には、ＣＰＵ２０は、メインディスプレイ１０に一覧表示枠Ｗ１とプレビュー表示枠Ｗ２とを形成し（図５（ａ）参照）、マーカ単語帳テーブル８４に記憶されている単語を一覧表示枠Ｗ１に一覧表示させるとともに、ユーザ操作により指定された何れか一つの単語を指定単語として反転表示させ、当該指定単語の説明情報を英和辞書データベース８２２から読み出してプレビュー表示枠Ｗ２にプレビュー表示させる（ステップＳ７）。
【００３９】
次に、ＣＰＵ２０は、語源分類アイコン１０１（図５（ａ）参照）をメインディスプレイ１０の左端に表示させ、当該語源分類アイコン１０１に対してタッチ操作が行われるか否かを判定し（ステップＳ８）、行われないと判定した場合（ステップＳ８；Ｎｏ）には他の処理へ移行する。
【００４０】
また、ステップＳ８において語源分類アイコン１０１に対してタッチ操作が行われたと判定した場合（ステップＳ８；Ｙｅｓ）には、ＣＰＵ２０は、語源付き辞書データベース８２１を参照し、マーカ単語帳テーブル８４に記憶されている各単語を、単語に含まれる単語構成部分と、その語源との組合せに従って分類し、分類結果を語源分類単語データ８６０として語源分類単語記憶領域８６に一時記憶させる（ステップＳ９）。
【００４１】
次に、ＣＰＵ２０は、マーカ単語帳テーブル８４に記憶されている単語を一覧表示枠Ｗ１に一覧表示させ、各単語に含まれる単語構成部分を、その種類ごとにマーカ表示させて識別表示させる（ステップＳ１０）。これにより、マーカ単語帳テーブル８４に記憶されている単語が、ステップＳ９での分類に従って表示されることとなり、より詳細には、各単語に含まれる各単語構成部分が単語構成部分の種類ごとに識別表示されることとなる。また、このときＣＰＵ２０は、ユーザ操作により指定された何れか一つの単語を反転表示させ、当該単語の説明情報（意味内容や語源など）を英和辞書データベース８２２から読み出してプレビュー表示枠Ｗ２にプレビュー表示させる。これにより、分類して表示される何れかの単語に対し、当該単語に含まれる単語構成部分の語源が対応付けられて表示されることとなる。
【００４２】
次に、ＣＰＵ２０は、テストアイコン１０２（図５（ｂ）参照）をメインディスプレイ１０の左端に表示させ、当該テストアイコン１０２に対してタッチ操作が行われるか否かを判定し（ステップＳ２１）、行われないと判定した場合（ステップＳ２１；Ｎｏ）には他の処理へ移行する。
【００４３】
また、ステップＳ２１においてテストアイコン１０２に対してタッチ操作が行われたと判定した場合（ステップＳ２１；Ｙｅｓ）には、ＣＰＵ２０は、語源意味データベース８５を参照し、マーカ単語帳テーブル８４に記憶されている単語に含まれる単語構成部分の意味や、当該単語構成部分の単語数（マーカ単語帳テーブル８４の登録単語のうち、当該語源の単語構成部分を含む単語の数）を、単語構成部分の語源ごとに纏めてメインディスプレイ１０に表示させる（ステップＳ２２）。また、このときＣＰＵ２０は、マーカ単語帳テーブル８４における各単語のテスト情報８４０を参照し、未だテストが行われていない単語の数と、テストに正解した単語の数と、テストに正解しなかった単語の数とを、単語構成部分の語源ごとに表示させる。
【００４４】
次に、ＣＰＵ２０は、メインディスプレイ１０に表示されている何れかの語源をユーザ操作に応じて選択語源として選択し（ステップＳ２３）、選択語源の単語構成部分を含む単語のうち、マーカ単語帳テーブル８４において最も先頭側に記憶されている単語を指定単語として指定する（ステップＳ２４）。
【００４５】
次に、ＣＰＵ２０は、語源付き辞書データベース８２１から指定単語の説明情報や語源を読み出してメインディスプレイ１０に表示させるとともに、表示される情報内に含まれる指定単語を潜像化して隠し表示させる（ステップＳ２５）。これにより、隠し表示されている単語（指定単語）を答えさせる穴埋めテストが表示されることとなる。
【００４６】
次に、ＣＰＵ２０は、ユーザ操作に応じて単語の綴りを入力した後（ステップＳ２６）、当該綴りの正誤を判定して判定結果をメインディスプレイ１０に表示させる（ステップＳ２７）。また、このときＣＰＵ２０は、マーカ単語帳テーブル８４における指定単語のテスト情報８４０を更新する。
【００４７】
次に、ＣＰＵ２０は、選択語源の単語構成部分を含む次の単語がマーカ単語帳テーブル８４に存在するか否かを判定し（ステップＳ３０）、存在すると判定した場合（ステップＳ３０；Ｙｅｓ）には、当該次の単語を指定単語として指定した後（ステップＳ３１）、上述のステップＳ２５に移行する。
【００４８】
また、ステップＳ３０において選択語源の単語構成部分を含む次の単語がマーカ単語帳テーブル８４に存在しないと判定した場合（ステップＳ３０；Ｎｏ）には、ＣＰＵ２０は、単語表示処理を終了する旨の操作が行われるか否かを判定する（ステップＳ３２）。
【００４９】
そして、このステップＳ３２において単語表示処理を終了する旨の操作が行われないと判定した場合（ステップＳ３２；Ｎｏ）には、ＣＰＵ２０は、上述のステップＳ２２に移行する一方、単語表示処理を終了する旨の操作が行われたと判定した場合（ステップＳ３２；Ｙｅｓ）には、単語表示処理を終了する。
【００５０】
［１．４  動作例］
続いて、図面を参照しつつ、上述した電子辞書１の動作を具体的に説明する。
【００５１】
まず、マーカ単語帳テーブル８４をユーザが選択すると（ステップＳ６；Ｙｅｓ）、図５（ａ）に示すように、メインディスプレイ１０に一覧表示枠Ｗ１とプレビュー表示枠Ｗ２とが形成され、マーカ単語帳テーブル８４に記憶されている単語「able」，「concede」，…が一覧表示枠Ｗ１に一覧表示されるとともに、単語「able」が指定単語として反転表示され、当該指定単語「able」の説明情報が英和辞書データベース８２２から読み出されてプレビュー表示枠Ｗ２にプレビュー表示される（ステップＳ７）。
【００５２】
次に、語源分類アイコン１０１に対してユーザがタッチ操作を行うと（ステップＳ８；Ｙｅｓ）、マーカ単語帳テーブル８４に記憶されている各単語が、単語に含まれる単語構成部分と、その語源との組合せに従って分類され、分類結果が一時記憶される（ステップＳ９）。
【００５３】
次に、図５（ｂ）に示すように、マーカ単語帳テーブル８４に記憶されている単語が一覧表示枠Ｗ１に一覧表示され、各単語に含まれる単語構成部分が、その種類ごとにマーカ表示されて識別表示される（ステップＳ１０）。
【００５４】
次に、ユーザがテストアイコン１０２に対してタッチ操作を行うと（ステップＳ２１；Ｙｅｓ）、図５（ｃ）に示すように、マーカ単語帳テーブル８４に記憶されている単語に含まれる単語構成部分の意味や、当該語源の単語構成部分を含む単語数が、単語構成部分の語源ごとに纏められてメインディスプレイ１０に表示される（ステップＳ２２）。例えば、語源「できる、可能な」について、意味「できる、可能な」や、当該語源の単語構成部分「able」、「abili」、「ible」を含む単語数「４」が表示され、語源「進む」について、意味「進む」や、当該語源の単語構成部分「ceed」、「cess」、「ced(e)」を含む単語数「３」が表示されることで、単語構成部分の意味や単語数が単語構成部分の語源ごとに纏められて表示される。また、このとき、未だテストが行われていない単語の数と、テストに正解した単語の数と、テストに正解しなかった単語の数とが単語構成部分の語源ごとに表示される。
【００５５】
次に、メインディスプレイ１０に表示されている語源「able，…（できる、可能な）」がユーザ操作に応じて選択語源として選択され（ステップＳ２３）、選択語源の単語構成部分を含む単語のうち、マーカ単語帳テーブル８４において最も先頭側に記憶されている単語「disable」が指定単語として指定される（ステップＳ２４）。
【００５６】
次に、図５（ｄ）に示すように、語源付き辞書データベース８２１から指定単語「disable」の説明情報や語源が読み出されて表示されるとともに、表示される情報内に含まれる指定単語「disable」が潜像化して隠し表示される（ステップＳ２５）。これにより、指定単語「disable」を答えさせる穴埋めテストが表示されることとなる。
【００５７】
次に、ユーザ操作に応じて単語の綴りが入力されると（ステップＳ２６）、当該綴りの正誤が判定されて判定結果がメインディスプレイ１０に表示され（ステップＳ２７）、マーカ単語帳テーブル８４における指定単語のテスト情報８４０が更新される。
【００５８】
以上の電子辞書１によれば、図４のステップＳ９，Ｓ１０や、図５等に示したように、互いに類似する複数の単語構成部分を同種の単語構成部分として、マーカ単語帳テーブル８４に記憶された各単語が単語構成部分の種類ごとに分類され、この分類に従って表示されるので、同種の単語構成部分を含む単語を効率良く学習することができる。また、各単語が単語構成部分の種類と、当該単語構成部分の語源との組合せごとに分類して表示されるので、語源の違いを意識しつつ、同種の単語構成部分を含む単語を学習することができる。
【００５９】
また、図４のステップＳ９，Ｓ１０や、図５等に示したように、マーカ単語帳テーブル８４に記憶された単語が一覧表示されるとともに、各単語に含まれる各単語構成部分が種類ごとに識別表示されるので、単語構成部分の異同を意識しつつ、同種の単語構成部分を含む単語を学習することができる。
【００６０】
また、図４のステップＳＳ１０や、図５等に示したように、分類して表示される何れかの単語に対し、当該単語に含まれる各単語構成部分の語源が対応付けられて表示されるので、語源を学習しつつ、同種の単語構成部分を含む単語を学習することができる。
【００６１】
［２  第２実施形態］
続いて、本発明に係る第２実施形態について説明する。なお、上記実施形態と同様の構成要素には同一の符号を付し、その説明を省略する。
【００６２】
［２．１  構成］
【００６３】
上述の図２に示すように、本第２実施形態における電子辞書１Ａは、記憶部８０Ａを備えており、この記憶部８０Ａは、本発明に係る単語表示制御プログラム８１Ａと、マーカ単語帳テーブル８４Ａとを記憶している。なお、この記憶部８０Ａは、上記第１実施形態における記憶部８０とは異なり、語源付き辞書データベース８２１を記憶していない。
【００６４】
単語表示制御プログラム８１Ａは、後述の単語表示処理（図６参照）をＣＰＵ２５に行わせるようになっている。
【００６５】
マーカ単語帳テーブル８４Ａは、上記第１の実施形態におけるマーカ単語帳テーブル８４と同様の情報を記憶する他、各登録単語に対応付けて、当該単語に含まれる各単語構成部分の種類名（例えば綴り「ex」など）を記憶するようになっている。
【００６６】
なお、本実施の形態において記憶部８０Ａに記憶されている英和辞書データベース８２２は、図３（ｃ）に示すように、簡略化された説明情報を記憶しており、語源付き辞書データベース８２１とは異なり、単語構成部分や語源を記憶していない。
【００６７】
［２．２  動作］
続いて、電子辞書１Ａの動作について、図面を参照しつつ説明する。
【００６８】
図６は、ＣＰＵ２０が単語表示制御プログラム８１Ａを読み出して実行する単語表示処理の流れを示すフローチャートである。
【００６９】
この図に示すように、単語表示処理においてまずＣＰＵ２０は、ユーザ操作により英和辞書データベース８２２が選択されたか否かを判定し（ステップＴ１）、英和辞書データベース８２２が選択されたと判定した場合（ステップＴ１；Ｙｅｓ）には、上述のステップＳ２と同様にして、ユーザ操作に応じて英和辞書データベース８２２における何れかの見出し語を指定見出し語として指定する（ステップＴ２）。
【００７０】
次に、ＣＰＵ２０は、指定見出し語の説明情報を英和辞書データベース８２２から読み出してメインディスプレイ１０に表示させる（ステップＴ３）。
【００７１】
次に、ＣＰＵ２０は、マーカ単語帳テーブル８４Ａに指定見出し語を記憶（登録）させる旨のユーザ操作が行われるか否かを判定し（ステップＴ４）、行われないと判定した場合（ステップＴ４；Ｎｏ）には、他の処理に移行する。
【００７２】
また、ステップＴ４においてマーカ単語帳テーブル８４Ａに指定見出し語を記憶させる旨のユーザ操作が行われたと判定した場合（ステップＴ４；Ｙｅｓ）には、ＣＰＵ２０は、マーカ単語帳テーブル８４Ａに指定見出し語を蓄積記憶させるとともに、この見出し語の説明情報中、ユーザ操作に基づきマーカ表示文字列として指定された文字列の位置情報を記憶させ（ステップＴ５）、上述のステップＴ２に移行する。
【００７３】
また、上述のステップＴ１においてユーザ操作により英和辞書データベース８２２が選択されていないと判定した場合（ステップＴ１；Ｎｏ）には、ＣＰＵ２０は、ユーザ操作によりマーカ単語帳テーブル８４Ａが選択されたか否かを判定し（ステップＴ６）、選択されていないと判定した場合（ステップＴ６；Ｎｏ）には、他の処理に移行する。
【００７４】
また、ステップＴ６においてユーザ操作によりマーカ単語帳テーブル８４Ａが選択されたと判定した場合（ステップＴ６；Ｙｅｓ）には、ＣＰＵ２０は、マーカ単語帳テーブル８４Ａに記憶されている単語をメインディスプレイ１０に一覧表示させる（ステップＴ７）。
【００７５】
次に、ＣＰＵ２０は、接頭辞別‐単語分類アイコン１０３、語幹別‐単語分類アイコン１０４、接尾辞別‐単語分類アイコン１０５及び分類設定アイコン１０６（図７（ａ）参照）をメインディスプレイ１０の左端に表示させ、接頭辞別‐単語分類アイコン１０３、語幹別‐単語分類アイコン１０４及び接尾辞別‐単語分類アイコン１０５の何れかのアイコンに対してタッチ操作が行われるか否かを判定し（ステップＴ８）、行われないと判定した場合（ステップＴ８；Ｎｏ）には他の処理へ移行する。
【００７６】
ここで、分類設定アイコン１０６は、同じ種類に分類されている複数の単語構成部分を別個の複数種類に設定し直すためのアイコンである。
また、接頭辞別‐単語分類アイコン１０３、語幹別‐単語分類アイコン１０４、接尾辞別‐単語分類アイコン１０５は、単語を分類するための単語構成部分のカテゴリ（接頭辞、語幹及び接尾辞）を指定するためのアイコンである。より具体的には、接頭辞別‐単語分類アイコン１０３は、単語構成部分のカテゴリとして接頭辞を指定し、接頭辞の種類ごとに単語を分類させるためのアイコンである。また、語幹別‐単語分類アイコン１０４は、単語構成部分のカテゴリとして語幹を指定し、語幹の種類ごとに単語を分類させるためのアイコンである。また、接尾辞別‐単語分類アイコン１０４は、単語構成部分のカテゴリとして接尾辞を指定し、接尾辞の種類ごとに単語を分類させるためのアイコンである。
【００７７】
そして、ステップＴ８において接頭辞別‐単語分類アイコン１０３、語幹別‐単語分類アイコン１０４及び接尾辞別‐単語分類アイコン１０５の何れかに対してタッチ操作が行われたと判定した場合（ステップＴ８；Ｙｅｓ）には、ＣＰＵ２０は、タッチ操作の行われたアイコンに対応する単語構成部分のカテゴリ、つまり接頭辞、語幹及び接尾辞の何れかを単語構成部分‐選択カテゴリとして選択し、単語構成部分‐選択カテゴリにおける類似綴り単語構成部分を同種の単語構成部分として扱うことにより、マーカ単語帳テーブル８４Ａに記憶されている各単語を単語構成部分‐選択カテゴリの単語構成部分ごとに分類し、分類結果を語源分類単語データ８６０として語源分類単語記憶領域８６に一時記憶させる（ステップＴ１１）。これにより、単語構成部分‐選択カテゴリの単語構成部分の綴りが同一または類似の単語が同じ分類となるよう、各単語が分類される。例えば、接頭辞別‐単語分類アイコン１０３がタッチ選択された場合（単語構成部分‐選択カテゴリが接頭辞である場合）には、接頭辞「ex」の単語「expect」，「export」が同じ分類とされ、接頭辞「in」，「im」の単語「import」，「inaccurate」，「incapable」，「inspect」が同じ分類とされる。なお、本実施形態においては、単語構成部分の綴りに従って単語が分類されるので、単語構成部分の綴りが同じであっても語源の異なる単語同士が同じ分類に分類される場合もあり得る。例えば、「import」，「inspect」の単語構成部分「im」，「in」は語源が「中へ」であり「inaccurate」，「incapable」の単語構成部分「in」は語源が「否定」であるものの、これらの単語は、単語構成部分の綴りが同一または類似であるので同じ分類となる。また、このときＣＰＵ２０は、後述のステップＴ２６の処理によりマーカ単語帳テーブル８４Ａ内の登録単語に対応付けて、当該登録単語に含まれる各単語構成部分の種類名が記憶されている場合には、この種類に従って、単語を分類しなおす。
【００７８】
次に、ＣＰＵ２０は、メインディスプレイ１０の上段に種類名タグ表示エリアＥ１を形成するとともに、種類名タグ表示エリアＥ１の下部に単語表示エリアＥ２を形成し（図７（ｂ）参照）、単語構成部分‐選択カテゴリに属する単語構成部分の各種類（例えば接頭辞の「ex」など）に対応する種類名タグＴａ（図７（ｂ）参照）を種類名タグ表示エリアＥ１に表示させる（ステップＴ１２）。なお、このときＣＰＵ２０は、種類名タグＴａを左右に並べて種類名タグ表示エリアＥ１に表示させる。
【００７９】
次に、ＣＰＵ２０は、先頭（最も左側）の種類名タグＴａを指定表示した後（ステップＴ１３）、マーカ単語帳テーブル８４Ａを参照し、指定の種類名タグＴａに対応する種類の単語構成部分（例えば接頭辞の「ex」など）を含む単語を、マーカ単語帳テーブル８４Ａから読み出して単語表示エリアＥ２に一覧表示させる（ステップＴ２１）。また、このときＣＰＵ２０は、各単語の説明情報を英和辞書データベース８２２から読み出して単語の近傍にプレビュー表示させる。
【００８０】
次に、ＣＰＵ２０は、何れかの種類名タグＴａに対してタッチ操作が行われるか否かを判定し（ステップＴ２２）、行われたと判定した場合（ステップＴ２２；Ｙｅｓ）には、タッチ操作の行われた種類名タグＴａを指定表示し（ステップＴ２３）、上述のステップＴ２１に移行する。
【００８１】
また、ステップＴ２２において何れの種類名タグＴａに対してもタッチ操作が行われないと判定した場合（ステップＴ２２；Ｎｏ）には、ＣＰＵ２０は、分類設定アイコン１０６に対してタッチ操作が行われるか否かを判定する（ステップＴ２４）。
【００８２】
このステップＴ２４において分類設定アイコン１０６に対してタッチ操作が行われたと判定した場合（ステップＴ２４；Ｙｅｓ）には、ＣＰＵ２０は、単語表示エリアＥ２に表示されている何れかの単語をユーザ操作に応じて指定する（ステップＴ２５）。なお、このときユーザは１つの単語を指定しても良いし、複数の単語を指定しても良い。
【００８３】
次に、ＣＰＵ２０は、指定された単語に含まれる単語構成部分の種類名をユーザ操作に基づいて設定し、当該単語に対応付けて当該種類名をマーカ単語帳テーブル８４Ａに記憶させる（ステップＴ２６）。
【００８４】
次に、ＣＰＵ２０は、新たに設定された種類名の種類名タグＴａを種類名タグ表示エリアＥ１に追加表示させて、この種類名タグＴａを指定表示した後（ステップＴ２７）、上述のステップＴ２１に移行する。これにより、類似の綴りの単語構成部分を同種の単語構成部分として扱うことで単語構成部分の種類ごとに分類された複数の単語が、ユーザ操作により更に分類されることとなる。
【００８５】
また、上述のステップＴ２４において分類設定アイコン１０６に対してタッチ操作が行われないと判定した場合（ステップＴ２４；Ｎｏ）には、ＣＰＵ２０は、種類名タグＴａを下方の空きエリアにドラッグ＆ドロップする操作が行われるか否かを判定する（ステップＴ３１）。
【００８６】
このステップＴ３１において種類名タグＴａを下方の空きエリアにドラッグ＆ドロップする操作が行われたと判定した場合（ステップＴ３１；Ｙｅｓ）には、ＣＰＵ２０は、種類名タグＴａのドロップ先の空きエリアの上段に新たな種類名タグ表示エリアＥ１Ａを形成するとともに、種類名タグ表示エリアＥ１Ａの下部に新たな単語表示エリアＥ２Ａを形成し（図８（ｄ）参照）、ドラッグ＆ドロップされた種類名タグＴａを種類名タグ表示エリアＥ１Ａに表示させ、この種類名タグＴａに対応する種類の単語構成部分（例えば接頭辞の「ex」など）を含む単語を、マーカ単語帳テーブル８４Ａから読み出して単語表示エリアＥ２Ａに一覧表示させた後（ステップＴ３２）、上述のステップＴ２１に移行する。これにより、ユーザ操作に応じて上述のステップＴ２７で更に分類された単語が単語表示エリアＥ２，Ｅ２Ａに分けて表示される場合に、これらの単語の単語構成部分同士が対比できるよう表示されることとなる。但し、これらの単語を単語表示エリアＥ２，Ｅ２Ａに分けて表示させる代わりに、別分類に設定された単語間で単語構成部分を別の色でマーカ表示させることで、これらの単語構成部分同士を対比できるよう表示することとしても良い。
【００８７】
また、ステップＴ３１において種類名タグＴａを下方の空きエリアにドラッグ＆ドロップする操作が行われないと判定した場合（ステップＴ３１；Ｎｏ）には、ＣＰＵ２０は、テストアイコン１０２をメインディスプレイ１０の左端に表示させ、当該テストアイコン１０２に対してタッチ操作が行われるか否かを判定する（ステップＴ３３）。
【００８８】
このステップＴ３３においてテストアイコン１０２に対してタッチ操作が行われたと判定した場合（ステップＴ３３；Ｙｅｓ）には、ＣＰＵ２０は、上述のステップＳ２２に移行する。
【００８９】
また、ステップＴ３３においてテストアイコン１０２に対してタッチ操作が行われないと判定した場合（ステップＴ３３；Ｎｏ）には、ＣＰＵ２０は、他の操作（但し、単語表示処理を終了する旨の操作を除く）が行われるか否かを判定する（ステップＴ３４）。
【００９０】
このステップＴ３４において他の操作が行われたと判定した場合（ステップＴ３４；Ｙｅｓ）には、ＣＰＵ２０は、当該操作に応じた他の処理へ移行する。
【００９１】
また、ステップＴ３４において他の操作が行われないと判定した場合（ステップＴ３４；Ｎｏ）には、ＣＰＵ２０は、単語表示処理を終了する旨の操作が行われるか否かを判定する（ステップＴ３５）。
【００９２】
そして、このステップＴ３５において単語表示処理を終了する旨の操作が行われないと判定した場合（ステップＴ３５；Ｎｏ）には、ＣＰＵ２０は、上述のステップＴ２１に移行する一方、単語表示処理を終了する旨の操作が行われたと判定した場合（ステップＴ３５；Ｙｅｓ）には、単語表示処理を終了する。
【００９３】
［２．３  動作例］
続いて、図面を参照しつつ、上述した電子辞書１Ａの動作を具体的に説明する。
【００９４】
まず、マーカ単語帳テーブル８４Ａをユーザが選択すると（ステップＴ６；Ｙｅｓ）、図７（ａ）に示すように、マーカ単語帳テーブル８４Ａに記憶されている単語がメインディスプレイ１０に一覧表示される（ステップＴ７）。
【００９５】
次に、接頭辞別‐単語分類アイコン１０３に対してユーザがタッチ操作を行うと（ステップＴ８；Ｙｅｓ）、同一または類似綴りの接頭辞の単語構成部分が同種の単語構成部分として扱われ、マーカ単語帳テーブル８４Ａに記憶されている各単語（「expect」，「export」，「import」，「inaccurate」，「incapable」，「inspect」など）が接頭辞の単語構成部分（「ex」，「im,in」等）ごとに分類され、分類結果が一時記憶される（ステップＴ１１）。
【００９６】
次に、メインディスプレイ１０の上段に種類名タグ表示エリアＥ１が形成されるとともに、種類名タグ表示エリアＥ１の下部に単語表示エリアＥ２が形成され、単語構成部分‐選択カテゴリ「接頭辞」に属する単語構成部分の種類を示す種類名タグＴａが種類名タグ表示エリアＥ１に表示される（ステップＴ１２）。
【００９７】
次に、図７（ｂ）に示すように、「ex」の種類名タグＴａが指定表示され（ステップＴ１３）、「ex」の種類名タグＴａに対応する種類の単語構成部分「ex」を含む単語が、マーカ単語帳テーブル８４Ａから読み出されて単語表示エリアＥ２に一覧表示される（ステップＴ２１）。また、このとき各単語の説明情報が英和辞書データベース８２２から読み出されて単語の近傍にプレビュー表示される。なお、図７（ａ）等では、指定表示されている種類名タグＴａを破線で囲って図示している。
【００９８】
次に、「im,in」の種類名タグＴａに対してユーザがタッチ操作を行うと（ステップＴ２２；Ｙｅｓ）、図７（ｃ）に示すように、タッチ操作の行われた種類名タグＴａが指定表示され（ステップＴ２３）、「im,in」の種類名タグＴａに対応する種類の単語構成部分「im,in」を含む単語が、マーカ単語帳テーブル８４Ａから読み出されて単語表示エリアＥ２に一覧表示される（ステップＴ２１）。また、このとき各単語の説明情報が英和辞書データベース８２２から読み出されて単語の近傍にプレビュー表示される。
【００９９】
次に、分類設定アイコン１０６に対してユーザがタッチ操作を行うと（ステップＴ２４；Ｙｅｓ）、図７（ｄ）に示すように、分類を分ける単語に対してタッチ操作するよう指示するメッセージがメインディスプレイ１０に表示される。
【０１００】
次に、図８（ａ）に示すように、単語表示エリアＥ２に表示されている単語「import」，「inspect」をユーザが指定して訳／決定キー２ｂにより指定内容を確定させた後（ステップＴ２５）、指定された単語「import」，「inspect」に含まれる単語構成部分「im,in」の種類名「im,in(1)」をユーザが設定すると、単語「import」，「inspect」に対応付けて当該種類名「im,in(1)」がマーカ単語帳テーブル８４Ａに記憶される（ステップＴ２６）。なお、本動作例においては、このとき単語表示エリアＥ２に表示されている残りの単語「inaccurate」，…の種類名「im,in」は「im,in(2)」に変更されてマーカ単語帳テーブル８４Ａ内の情報が更新される。
【０１０１】
次に、図８（ｂ）に示すように、新たに設定された種類名「im,in(1)」の種類名タグＴａが種類名タグ表示エリアＥ１に追加表示されて、この種類名タグＴａが指定表示される（ステップＴ２７）。
【０１０２】
次に、「im,in(1)」の種類名タグＴａに対応する種類の単語構成部分「im,in」を含む単語「import」，「inspect」が、マーカ単語帳テーブル８４Ａから読み出されて単語表示エリアＥ２に一覧表示される（ステップＴ２１）。また、このとき各単語の説明情報が英和辞書データベース８２２から読み出されて単語の近傍にプレビュー表示される。
【０１０３】
次に、「im,in(2)」の種類名タグＴａに対してユーザがタッチ操作を行うと（ステップＴ２２；Ｙｅｓ）、図８（ｃ）に示すように、タッチ操作の行われた種類名タグＴａが指定表示され（ステップＴ２３）、「im,in(2)」の種類名タグＴａに対応する種類の単語構成部分「im,in」を含む単語「inaccurate」，…が、マーカ単語帳テーブル８４Ａから読み出されて単語表示エリアＥ２に一覧表示される（ステップＴ２１）。また、このとき各単語の説明情報が英和辞書データベース８２２から読み出されて単語の近傍にプレビュー表示される。
【０１０４】
次に、図８（ｄ）に示すように、「im,in(1)」の種類名タグＴａを下方の空きエリアにドラッグ＆ドロップする操作をユーザが行うと（ステップＴ３１；Ｙｅｓ）、ドロップ先の空きエリアの上段に新たな種類名タグ表示エリアＥ１Ａが形成されるとともに、種類名タグ表示エリアＥ１Ａの下部に新たな単語表示エリアＥ２Ａが形成され、ドラッグ＆ドロップされた種類名タグＴａが種類名タグ表示エリアＥ１Ａに表示され、この種類名タグＴａに対応する種類の単語構成部分「im,in」を含む単語「import」，「inspect」がマーカ単語帳テーブル８４Ａから読み出されて単語表示エリアＥ２Ａに一覧表示される（ステップＴ３２）。このように、同一または類似の綴りの単語構成部分「im」，「in」を含んで同種に分類されていた単語「import」，「inspect」，「inaccurate」，「incapable」がユーザ自身の分類操作により語源「中へ」の単語「import」，「inspect」と、語源「否定」の単語「inaccurate」，「incapable」とに更に分類されることにより、分類ごとの単語を対比して学習することが可能となる。
【０１０５】
以上の電子辞書１Ａによれば、上記第１実施形態における電子辞書１と同様の効果を得ることができるのは勿論のこと、図６のステップＴ２１，Ｔ２５〜Ｔ２７や、図７、図８等に示したように、綴りが類似の単語構成部分が同種の単語構成部分として扱われて単語構成部分の種類ごとに各単語が分類され、このように分類された単語がユーザ操作に基づいて更に分類して表示されるので、単語構成部分の異同を自分で設定して単語を分類し、同種の単語構成部分を含む単語を学習することができる。
【０１０６】
また、図６のステップＴ３２や、図８等に示したように、ユーザ操作に基づいて分類設定された単語が表示される場合に、単語構成部分同士が対比できるよう単語が表示されるので、単語構成部分の異同を意識しつつ、同種の単語構成部分を含む単語を学習することができる。
【０１０７】
なお、本発明を適用可能な実施形態は、上述した実施形態に限定されることなく、本発明の趣旨を逸脱しない範囲で適宜変更可能である。
【０１０８】
例えば、本発明に係る単語表示制御装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図１（ｂ）に示すようなタブレットパソコン１Ｂに特に好適に適用される。また、本発明に係る単語表示制御プログラム８１は、電子辞書１に対して着脱可能な外部情報記憶媒体１２ａに記憶されることとしてもよい。
【０１０９】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
各単語を接辞及び接辞以外の部分に分解して得られる複数の単語構成部分のうち、互いに類似する複数の単語構成部分を同種の単語構成部分として扱い、単語構成部分の種類ごとに、単語記憶手段により記憶された各単語を分類する単語分類手段と、
前記単語記憶手段により記憶された単語を、前記単語分類手段による分類に従って表示する制御を行う単語分類表示制御手段と、
を備えることを特徴とする単語表示制御装置。
＜請求項２＞
請求項１記載の単語表示制御装置において、
単語と、当該単語に含まれる各単語構成部分と、当該各単語構成部分の意味を示した語源とが対応付けられて複数記憶されている単語語源記憶手段を備え、
前記単語分類手段は、
単語構成部分の種類と、当該単語構成部分の語源との組合せごとに、前記単語記憶手段により記憶された各単語を分類する語源別単語分類手段を有することを特徴とする単語表示制御装置。
＜請求項３＞
請求項２記載の単語表示制御装置において、
前記単語分類表示制御手段により表示される何れかの単語に対し、当該単語に含まれる単語構成部分の語源を対応付けて表示する制御を行う語源表示制御手段を備えることを特徴とする単語表示制御装置。
＜請求項４＞
請求項１〜３の何れか一項に記載の単語表示制御装置において、
前記単語分類表示制御手段は、
前記単語記憶手段に記憶された単語を一覧表示するとともに、各単語に含まれる各単語構成部分を、単語構成部分の種類ごとに識別表示する制御を行う単語構成部分識別表示制御手段を有することを特徴とする単語表示制御装置。
＜請求項５＞
請求項１〜４の何れか一項に記載の単語表示制御装置において、
前記単語分類手段は、
綴りが類似の単語構成部分を、同種の単語構成部分として扱い、単語構成部分の種類ごとに、前記単語記憶手段により記憶された各単語を分類する綴り単語分類手段と、
ユーザ操作に基づいて、前記綴り単語分類手段により分類された各単語を更に分類する種別設定単語分類手段と、
を有することを特徴とする単語表示制御装置。
＜請求項６＞
請求項５記載の単語表示制御装置において、
前記単語分類表示制御手段は、
前記種別設定単語分類手段により分類された単語を表示する制御を行う場合に、これらの単語の単語構成部分同士を対比できるよう表示する制御を行う単語対比表示制御手段を有することを特徴とする単語表示制御装置。
＜請求項７＞
請求項１〜６の何れか一項に記載の単語表示制御装置において、
前記単語記憶手段は、
ユーザ操作により指定される単語を記憶することを特徴とする単語表示制御装置。
＜請求項８＞
コンピュータにおける単語表示制御方法であって、
各単語を接辞及び接辞以外の部分に分解して得られる複数の単語構成部分のうち、互いに類似する複数の単語構成部分を同種の単語構成部分として扱い、単語構成部分の種類ごとに、単語記憶手段により記憶された各単語を分類する単語分類ステップと、
前記単語記憶手段により記憶された単語を、前記単語分類ステップによる分類に従って表示する制御を行う単語分類表示制御ステップと、
を含むことを特徴とする単語表示制御方法。
＜請求項９＞
コンピュータに、
各単語を接辞及び接辞以外の部分に分解して得られる複数の単語構成部分のうち、互いに類似する複数の単語構成部分を同種の単語構成部分として扱い、単語構成部分の種類ごとに、単語記憶手段により記憶された各単語を分類する単語分類機能と、
前記単語記憶手段により記憶された単語を、前記単語分類機能による分類に従って表示する制御を行う単語分類表示制御機能と、
を実現させることを特徴とする単語表示制御プログラム。
【符号の説明】
【０１１０】
１          電子辞書
２０        ＣＰＵ
８１        単語表示制御プログラム
８４        マーカ単語帳テーブル
８２１      語源付き辞書データベース
【図１】
2014186065.tif 000003
【図２】
2014186065.tif 000004
【図３】
2014186065.tif 000005
【図４】
2014186065.tif 000006
【図５】
2014186065.tif 000007
【図６】
2014186065.tif 000008
【図７】
2014186065.tif 000009
【図８】
2014186065.tif 000010